(57)【要約】  【課題】  周波数特性の劣化した撮像信号の場合でもガンマ補正での影響を極力抑え、高画質の輪郭補正ができる撮像装置の提供を目的とする。  【解決手段】  輪郭信号を作成する第１、第２の輪郭信号作成回路と、前記第１、第２の輪郭信号作成回路の出力輪郭信号のブースト周波数及びゲインを選択する第１、第２の周波数，ゲイン選択回路と、前記第１の周波数，ゲイン選択回路の出力信号と前記撮像信号を加算する第１の加算回路と、前記第１の加算回路の出力信号にガンマ補正を施すガンマ補正回路と、前記ガンマ補正回路の出力信号と前記第２の周波数，ゲイン選択回路の出力信号を加算する第２の加算回路を備え、第１、第２の輪郭信号作成回路のブースト周波数特性を変えられるようにし、周波数劣化の抑制と画作りの為の輪郭補正ができるようにする。【選択図】  図１
2005033698.tif 000002
【特許請求の範囲】
【請求項１】
撮像信号より、輪郭補正を行う為の輪郭信号を作成する第１、第２の輪郭信号作成回路と、
前記第１の輪郭信号作成回路の出力輪郭信号のブースト周波数及びゲインを選択する第１の周波数，ゲイン選択回路と、
前記第２の輪郭信号作成回路の出力輪郭信号のブースト周波数及びゲインを選択する第２の周波数，ゲイン選択回路と、
前記第１の周波数，ゲイン選択回路の出力信号と前記撮像信号を加算する第１の加算回路と、
前記第１の加算回路の出力信号にガンマ補正を施すガンマ補正回路と、
前記ガンマ補正回路の出力信号と前記第２の周波数，ゲイン選択回路の出力信号を加算する第２の加算回路とを
備えたことを特徴とする撮像装置。
【請求項２】
撮像信号より、輪郭補正を行う為の輪郭信号を作成する第１、第２の輪郭信号作成回路と、
前記撮像信号のステップ応答等の周波数特性を検出する周波数特性検出回路と前記周波数特性検出回路の出力信号により前記第１の輪郭信号作成回路の出力輪郭信号のブースト周波数及びゲインを選択する第１の周波数，ゲイン選択回路と、
前記第２の輪郭信号作成回路の出力輪郭信号のブースト周波数及びゲインを選択する第２の周波数，ゲイン選択回路と、
前記第１の周波数，ゲイン選択回路の出力信号と前記撮像信号を加算する第１の加算回路と、
前記第１の加算回路の出力信号にガンマ補正を施すガンマ補正回路と、
前記ガンマ補正回路の出力信号と前記第２の周波数，ゲイン選択回路の出力信号を加算する第２の加算回路とを
備えたことを特徴とする撮像装置。
【請求項３】
撮像信号より、輪郭補正を行う為の輪郭信号を作成する第１、第２の輪郭信号作成回路と、
前記撮像信号のステップ応答等の周波数特性を検出する周波数特性検出回路と前記周波数特性検出回路の出力信号とレンズのズーム比により前記第１の輪郭信号作成回路の出力輪郭信号のブースト周波数及びゲインを選択する第１の周波数，ゲイン選択回路と、
前記第２の輪郭信号作成回路の出力輪郭信号のブースト周波数及びゲインを選択する第２の周波数，ゲイン選択回路と、
前記第１の周波数，ゲイン選択回路の出力信号と前記撮像信号を加算する第１の加算回路と、
前記第１の加算回路の出力信号にガンマ補正を施すガンマ補正回路と、
前記ガンマ補正回路の出力信号と前記第２の周波数，ゲイン選択回路の出力信号を加算する第２の加算回路とを
備えたことを特徴とする撮像装置。
【請求項４】
レンズのズーム比が、テレ端とワイド端の中間からワイド側に近い時は、前記第１の周波数，ゲイン選択回路の設定を、周波数は高めの周波数を選択し、テレ端とワイド端の中間からテレ側に近い時は、前記第１の周波数，ゲイン選択回路の設定を、周波数は低めの周波数を選択することを特徴とする請求項３に記載の撮像装置。
【請求項５】
撮像信号より、輪郭補正を行う為の輪郭信号を作成する第１、第２の輪郭信号作成回路と、
前記第１の輪郭信号作成回路の出力輪郭信号のブースト周波数及びゲインを選択する第１の周波数，ゲイン選択回路と、
前記第２の輪郭信号作成回路の出力輪郭信号のブースト周波数及びゲインを選択する第２の周波数，ゲイン選択回路と、
前記第１の周波数，ゲイン選択回路の出力信号と前記撮像信号を加算する第１の加算回路と、
前記第１の加算回路の出力信号にガンマ補正を施すガンマ補正回路と、
前記ガンマ補正回路の出力信号のステップ応答等の周波数特性を検出する周波数特性検出回路と、
前記周波数特性検出回路の出力信号の周波数特性を判定し前記第１の周波数，ゲイン選択回路の周波数選択及びゲインをコントロールする制御回路と、
前記ガンマ補正回路の出力信号と前記第２の周波数，ゲイン選択回路の出力信号を加算する第２の加算回路とを
備えたことを特徴とする撮像装置。
【発明の詳細な説明】
【技術分野】
【０００１】
本発明は、画像の先鋭度を向上し、高画質な撮像信号を得るようにする為の輪郭補正を備えた撮像装置に関するものである。
【背景技術】
【０００２】
画像の先鋭感を上げ、高画質な撮像信号を得る為の処理を行う回路として、輪郭信号形成回路がある。この処理で得られる信号は、ディテール信号やアパーチャ信号等と称され撮像装置にはその画作り等の点から、なくてはならない必要不可欠なものである。
【０００３】
この輪郭信号を得る為の方法として、黒レベルから、白レベルまで一応な輪郭信号を付加できる手法が提案されている（特許文献１参照）。
【０００４】
以下その輪郭信号形成回路を備えた従来の撮像装置について説明する。
【０００５】
従来の高画質な撮像信号を得るための撮像装置としては、例えば特許文献１に記載された撮像装置が知られている。図１２は従来の撮像装置の輪郭信号形成回路の内部構成を示すものである。図１２において、３０は入力端子、３１は水平輪郭信号形成回路、３２は垂直輪郭信号形成回路、３３は第１のコントロール回路、３４はガンマ補正回路、３５は第２のコントロール回路、３６は出力端子である。
【０００６】
以上のように構成された従来の高画質な撮像信号を得る撮像装置の動作について図１３〜図１７を用いて以下説明する。
【０００７】
図１３は輪郭補正の動作を示す信号波形図、図１４は撮像装置及びモニターでのガンマ補正を示す入出力特性図、図１５〜図１７は各方式における輪郭信号の付き方を示す信号波形図である。
【０００８】
図１２において水平輪郭信号形成回路３１及び垂直輪郭信号形成回路３２は図１３に示すように輪郭信号を形成しもとの入力信号に加算することにより輪郭補正の処理を行う。例えば、図１３（ａ）に示すように輝度信号のウインドー信号が入力されると、それぞれ入力信号の高周波成分を抽出し同図（ｂ）に示す輪郭信号を生成する。その信号を入力輝度信号に加算し、同図（ｃ）に示す輪郭補正された輝度信号が得られる。
【０００９】
ところで、撮像装置では一般に図１４（ｂ）に示す特性のモニター側のガンマ特性を補正する為に、同図（ａ）に示す特性のガンマ補正を施している。つまり、概略黒レベル側は伸張され、白レベル側は圧縮される特性となる。故に先の輪郭補正をこのガンマ処理の前にするか、あるいは後ろでするかで、その輪郭補正の特性が変わってくる為、画作りにも影響する。
【００１０】
図１５（ａ）〜（ｃ）はガンマ補正の前で輪郭補正信号を作成し、さらに輪郭補正を行い、ガンマ補正をする場合の信号波形図を示している。この場合、輪郭補正された入力信号は同図（ａ）に示すように、入力信号のレベルに関係なく同じレベルの輪郭信号が付加されているが、この輪郭補正された入力信号がガンマ補正されると、同図（ｂ）に示すように、暗部が伸張され、明部は圧縮される為、同図（ｃ）に示すようにモニター側で逆ガンマ補正されても暗部に比べ明部の輪郭信号が小さくなり、輪郭信号のバランスが悪くなる。また、図１６（ａ）〜（ｃ）はガンマ補正の前で輪郭補正信号を作成するが、輪郭補正はガンマ補正の後段で行う場合の信号波形図を示している。この場合、ガンマ補正された入力信号に、同レベルの輪郭信号が付加され、同図（ｂ）に示すような信号波形となる。この信号が、モニター側で逆ガンマ補正されると、同図（ｃ）に示すようになる。この場合、図１５の場合と逆に、暗部より明部の輪郭信号のレベルが大きくなり、やはり輪郭信号のバランスが悪くなる。このような問題を解決する為、従来の撮像装置においては、水平輪郭信号形成回路３１、及び垂直輪郭信号形成回路３２で作成した輪郭信号を図１２に示す第１のコントロール回路３３で適切なレベルにゲインをコントロールし、ガンマ補正回路３４で輪郭補正及びガンマ補正を行う。
【００１１】
この場合の信号波形は、図１７の（ａ）及び（ｂ）のようになる。さらに第１のコントロール回路３３からの出力される輪郭信号を第２のコントロール回路３５でさらに適切なレベルにゲインコントロールし、ガンマ補正回路３４の出力信号に加算する。この信号が、モニターで逆ガンマ補正されると図１７（ｃ）に示すように暗部から明部まで輪郭信号のレベルが一様な信号が得られる。
【００１２】
このように、ガンマ補正の前後で輪郭信号を加算することにより、バランスのよい輪郭補正が行え、高画質な撮像信号を提供することができる。
【特許文献１】特開平９−２４７５０１号公報  段落番号「００１２」
【発明の開示】
【発明が解決しようとする課題】
【００１３】
しかしながら上記従来の撮像装置においては、ガンマ補正の前後で輪郭信号を加算することにより、バランスのよい輪郭補正が行えるが、加算する輪郭信号は基本的に同一特性のものである。故に、ガンマ補正に起因する他の問題、例えば周波数劣化による波形の歪がガンマ補正で強調されたものに輪郭信号を付加することにより理想的な輪郭補正ができず、見た目に違和感があり、高画質性を失うという問題点を有していた。
【００１４】
本発明は上記従来の問題点を解決するもので、周波数劣化した撮像信号の場合でも、理想的な輪郭補正ができる高画質な撮像装置を提供することを目的とする。
【課題を解決するための手段】
【００１５】
この目的を達成するために本発明の撮像装置は、撮像信号より、輪郭補正を行う為の輪郭信号を作成する第１、第２の輪郭信号作成回路と、前記第１の輪郭信号作成回路の出力輪郭信号のブースト周波数及びゲインを選択する第１の周波数，ゲイン選択回路と、前記第２の輪郭信号作成回路の出力輪郭信号のブースト周波数及びゲインを選択する第２の周波数，ゲイン選択回路と、前記第１の周波数，ゲイン選択回路の出力信号と前記撮像信号を加算する第１の加算回路と、前記第１の加算回路の出力信号にガンマ補正を施すガンマ補正回路と、前記ガンマ補正回路の出力信号と前記第２の周波数，ゲイン選択回路の出力信号を加算する第２の加算回路とを備える構成を有している。
【００１６】
この構成によって、周波数劣化した撮像信号の場合でも、その周波数劣化を補正し理想的な輪郭補正ができる。
【００１７】
また、本発明の撮像装置は、撮像信号より、輪郭補正を行う為の輪郭信号を作成する第１、第２の輪郭信号作成回路と、前記撮像信号のステップ応答等の周波数特性を検出する周波数特性検出回路と前記周波数特性検出回路の出力信号により前記第１の輪郭信号作成回路の出力輪郭信号のブースト周波数及びゲインを選択する第１の周波数，ゲイン選択回路と、前記第２の輪郭信号作成回路の出力輪郭信号のブースト周波数及びゲインを選択する第２の周波数，ゲイン選択回路と、前記第１の周波数，ゲイン選択回路の出力信号と前記撮像信号を加算する第１の加算回路と、前記第１の加算回路の出力信号にガンマ補正を施すガンマ補正回路と、前記ガンマ補正回路の出力信号と前記第２の周波数，ゲイン選択回路の出力信号を加算する第２の加算回路とを備える構成を有している。
【００１８】
この構成によって、周波数劣化の具合に応じて、さらに正確に周波数劣化の補正と理想的な輪郭補正ができる。
【発明の効果】
【００１９】
以上のように本発明によれば、周波数劣化に伴う画質劣化を防ぐと共に理想的な輪郭補正ができ、高画質な撮像信号が得られる撮像装置を提供する事ができる。
【００２０】
さらにその周波数劣化を検出し、自動的に高精度で補正し、周波数劣化に伴う画質劣化を防ぐと共に理想的な輪郭補正ができ、高画質な撮像信号が得られる撮像装置を提供する事ができる。
【００２１】
また、レンズのズーム比による周波数劣化の度合いに応じ、周波数劣化に伴う画質劣化を防ぐと共に理想的な輪郭補正ができ、高画質な撮像信号が得られる撮像装置を提供する事ができる。
【００２２】
以上のように、本発明によれば、上記に示した効果を有する撮像装置を提供できる。
【発明を実施するための最良の形態】
【００２３】
本発明の請求項１に記載の発明は、撮像信号より、輪郭補正を行う為の輪郭信号を作成する第１、第２の輪郭信号作成回路と、前記第１の輪郭信号作成回路の出力輪郭信号のブースト周波数及びゲインを選択する第１の周波数，ゲイン選択回路と、前記第２の輪郭信号作成回路の出力輪郭信号のブースト周波数及びゲインを選択する第２の周波数，ゲイン選択回路と、前記第１の周波数，ゲイン選択回路の出力信号と前記撮像信号を加算する第１の加算回路と、前記第１の加算回路の出力信号にガンマ補正を施すガンマ補正回路と、前記ガンマ補正回路の出力信号と前記第２の周波数，ゲイン選択回路の出力信号を加算する第２の加算回路とを備えたものであり、第１、第２の輪郭信号作成回路は入力される撮像信号より、それぞれ輪郭信号を作成する。第１、第２のブースト周波数及びゲイン選択回路は、それぞれ第１、第２の輪郭信号作成回路で作成される輪郭信号のブースト周波数及びゲインを選択する。第１の加算回路は入力撮像信号と第１ブースト周波数及びゲイン選択回路の出力信号を加算し、ガンマ補正回路へ出力する。ガンマ補正回路はガンマ補正を施す。第２の加算回路はガンマ補正回路の出力信号と第２のブースト周波数及びゲイン選択回路の出力信号を加算する作用を有する。
【００２４】
請求項２に記載の発明は、撮像信号より、輪郭補正を行う為の輪郭信号を作成する第１、第２の輪郭信号作成回路と、前記撮像信号のステップ応答等の周波数特性を検出する周波数特性検出回路と前記周波数特性検出回路の出力信号により前記第１の輪郭信号作成回路の出力輪郭信号のブースト周波数及びゲインを選択する第１の周波数，ゲイン選択回路と、前記第２の輪郭信号作成回路の出力輪郭信号のブースト周波数及びゲインを選択する第２の周波数，ゲイン選択回路と、前記第１の周波数，ゲイン選択回路の出力信号と前記撮像信号を加算する第１の加算回路と、前記第１の加算回路の出力信号にガンマ補正を施すガンマ補正回路と、前記ガンマ補正回路の出力信号と前記第２の周波数，ゲイン選択回路の出力信号を加算する第２の加算回路とを備えたものであり、第１、第２の輪郭信号作成回路は入力される撮像信号より、それぞれ輪郭信号を作成する。第１のブースト周波数及びゲイン選択回路は、周波数特性検出回路の出力信号により第１の輪郭信号作成回路で作成される輪郭信号のブースト周波数及びゲインを選択する。
【００２５】
第２のブースト周波数及びゲイン選択回路は、第２の輪郭信号作成回路で作成される輪郭信号のブースト周波数及びゲインを選択する。第１の加算回路は入力撮像信号と第１のブースト周波数及びゲイン選択回路の出力信号を加算し、ガンマ補正回路へ出力する。ガンマ補正回路はガンマ補正を施す。第２の加算回路はガンマ補正回路の出力信号と第２のブースト周波数及びゲイン選択回路の出力信号を加算する作用を有する。
【００２６】
以下、本発明の実施の形態について、図１から図１１を用いて説明する。
【００２７】
（実施の形態１）
図１は本発明の実施の形態１における撮像装置の構成を示すブロック図である。
【００２８】
図１において、１は入力信号の輪郭信号を形成する第１輪郭信号形成回路、２も同様に入力信号の輪郭信号を形成する第２輪郭信号形成回路、３は第１ブースト周波数及びゲイン選択回路、４は第２ブースト周波数及びゲイン選択回路、５は第１加算回路、６はＲＡＭテーブルもしくは折れ線近似でのガンマ補正回路、７は第２加算回路である。
【００２９】
以上のように構成された実施の形態１による撮像装置の動作について、図２〜図５を用いて以下説明する。
【００３０】
図２、図３は従来の輪郭補正の場合と実施の形態１における輪郭補正の場合の信号波形図を示し、周波数劣化した撮像信号に対しての輪郭補正の信号波形図を示す。図中の（ｂ）〜（ｆ）は図１の各部（ｂ）〜（ｆ）に対応した信号波形を示す。
【００３１】
また図４は第１輪郭信号形成回路１と第１ブースト周波数及びゲイン選択回路３の内部構成の１例を示すブロック図及び各ブースト周波数の特性を示す周波数特性図である。
【００３２】
また、図５は第１輪郭信号形成回路１と第１ブースト周波数及びゲイン選択回路３が一体化された場合の１例を示すブロック図である。
【００３３】
理想的な撮像信号はウインド状の被写体に対して図２（ａ）に示すような信号となる。この信号に対して、撮像装置の主な信号処理であるガンマ補正や輪郭補正等の信号処理が施される。ところが実際は、アナログ系の周波数特性等の劣化により、同図（ｂ）に示すように周波数特性の劣化した撮像信号が入力される。
【００３４】
この周波数特性の劣化を補正するのが、輪郭補正の一つの役目であるが、実際は画作りの為の先鋭度向上に主に使われている。同図（ｂ）に示す周波数劣化した撮像信号が入力されると、ガンマ補正回路では同図（ｂ）の右側に示すように特に裾野が広がった信号となり、また同図（ｃ）に示す輪郭信号も負側がゲインが大きくなった輪郭信号となる。つまり、この周波数劣化した撮像信号に輪郭補正を施し、ガンマ補正を施すと同図（ｄ）に示すような撮像信号となる。その図より分かるように、立ち上がり、立下りが急峻でなくなだらかになり、暗部の裾野が広がったところに、細い輪郭信号がついた撮像信号となる。さらにその信号に同図（ｅ）に示す第２の輪郭信号作成回路の出力信号が加算されると、同図（ｆ）に示すように、暗部の裾野のレベルが一度なだらかに上がり、急に負側へ落ち込んで波形が立ち上がる（立下り側は逆）傾向が強くなる。
【００３５】
これは、従来の輪郭補正のやり方が、基本的に同一特性の輪郭信号をガンマ補正の前後で加算するというところに起因している。
【００３６】
本実施の形態１では第１の輪郭信号形成回路１及び第２の輪郭信号形成回路２のブースト周波数を従来のように同一特性にせず、それぞれ複数のブースト周波数を持ち、それをそれぞれ第１、第２のブースト周波数及びゲイン選択回路３、４で別々に選択、ゲイン設定出来るようにする。
【００３７】
図３はその補正の様子を示している。図３で同図（ｂ）の周波数劣化した撮像信号に対して、撮像信号自体は従来例と同様にガンマ補正で同図（ｂ）の右側の信号のようになる。また、第１輪郭信号形成回路１から出力される輪郭信号を周波数劣化の特性を補うように、同図（ｃ）に示すように裾野広がりに合わせ低いブースト周波数を第１ブースト周波数及びゲイン選択回路３で選択する。つまりこの信号が第１加算回路５で周波数劣化した撮像信号と加算され、ガンマ補正回路６でガンマ補正されると、同図（ｄ）に示すようなほぼ理想の撮像信号に近い信号として出力される。一方第２ブースト周波数及びゲイン選択回路４は、第２輪郭信号形成回路２より出力される輪郭信号を画作りに必要な輪郭信号を選択し、同図（ｅ）に示す輪郭信号を出力する。第２加算回路７でこの信号とガンマ補正回路６の信号が加算され同図（ｆ）に示す撮像信号が得られる。このような輪郭補正により、高画質な撮像信号を提供することができる。
【００３８】
なお、図４は第１輪郭信号形成回路１と第１ブースト周波数及びゲイン選択回路３の内部構成の１例を示すブロック図及び各ブースト周波数の特性を示す周波数特性図であるが、８はハイパスフィルタ回路、９は選択回路、１０は乗算器である。各ＨＰＦ８（ハイパスフィルタ回路）により、種々のブースト周波数を出力し、その信号を外部からのブースト周波数選択信号により選択回路９で選択し、乗算器１０でゲインを設定し出力する。各ＨＰＦ８の特性の１例として同図下部に周波数と特性図を示している。この周波数特性は、外部からの特性可変信号によりその特性を可変できる。このようにして、種々のブースト周波数及びそのゲインを設定することができる。第２の輪郭信号形成回路２と第２ブースト周波数及びゲイン選択回路４の内部構成も同様である。
【００３９】
また、図５は第１輪郭信号形成回路１と第１ブースト周波数及びゲイン選択回路３が一体化された場合の１例を示すブロック図であるが、１１はブースト周波数及びゲイン選択回路が一体化された第１輪郭信号形成回路、１２はデジタル処理における遅延素子（水平輪郭補正の場合は１クロック単位、垂直輪郭補正の場合は１水平走査単位）、１３，１５は乗算器、１４は加算器である。外部からの係数切り換え信号により乗算器１３の係数設定を適切に変えることにより図４の周波数特性図と同様なブースト周波数の輪郭信号を作成することができる。
【００４０】
このようにして、本実施の形態１によれば、第１輪郭信号形成回路１より出力される輪郭信号のうち、入力撮像信号の周波数劣化を補正するのに適するブースト周波数の輪郭信号を第１ブースト周波数及びゲイン選択回路３で選択し、第２輪郭信号形成回路２より出力される輪郭信号は、基本的に画作りの為の輪郭信号として第２ブースト周波数及びゲイン選択回路４で選択し撮像信号に加算することができるので高画質な撮像信号を提供することができる。
【００４１】
（実施の形態２）
図６は本発明の実施の形態２における撮像装置の構成を示すブロック図である。
【００４２】
図６において、１は入力信号の輪郭信号を形成する第１輪郭信号形成回路、２も同様に入力信号の輪郭信号を形成する第２輪郭信号形成回路、３は第１ブースト周波数及びゲイン選択回路、４は第２ブースト周波数及びゲイン選択回路、５は第１加算回路、６はＲＡＭテーブルもしくは折れ線近似でのガンマ補正回路、７は第２加算回路であり、１６は各周波数成分を検出する周波数特性検出回路である。図１の実施の形態１と構成が異なるのは、周波数特性検出回路１６を備えた点である。その他は同様な回路であり、その動作、作用の説明は省略する。
【００４３】
以上のように構成された実施の形態２による撮像装置の動作について、図６、図７を用いて以下説明する。
【００４４】
図７は周波数特性検出回路１６の内部構成を示すブロック図で、１７は低周波、中間周波、高周波の各周波数帯域成分を検出する各周波数帯域成分検出回路、１８は各周波数成分のレベルを検出し、入力信号の周波数特性を判定するレベル検出特性判定回路である。
【００４５】
図７で各周波数帯域成分検出回路１７は、例えばローパスフィルタ、ミッドパスフィルタ、ハイパスフィルタ等のフィルタ回路で、入力信号のそれぞれの周波数成分を抽出する。この場合、入力信号としては撮像信号のウインド信号やステップ信号（テスト信号でも可）が入力された場合に、その入力信号の理想特性のレベルを予め備えておき、そのレベルと実際の入力信号の各周波数成分のレベルをレベル検出回路１８で比較しどの周波数成分の劣化があるかを判定する。その判定信号で図６の第１ブースト周波数及びゲイン選択回路３のブースト周波数及びゲインを選択する。つまり、周波数劣化に合う特性のブースト周波数を選択することにより、理想的な周波数特性に近づける。これにより、ガンマ補正前の輪郭補正は、実施の形態１とほぼ同様な補正が行え、その後の動作も、実施の形態１と同様な処理が行われ、従来の周波数劣化による画質劣化を防ぐ事ができる。しかもほぼ自動的にその補正動作を行うことができる。
【００４６】
なお、周波数特性の理想データは図示していない、システムコントロールの為のマイクロコンピュータ等に制御データとして保持させればよい。
【００４７】
（実施の形態３）
図８は本発明の実施の形態３における撮像装置の構成を示すブロック図である。
【００４８】
図８において、１は入力信号の輪郭信号を形成する第１輪郭信号形成回路、２も同様に入力信号の輪郭信号を形成する第２輪郭信号形成回路、３は第１ブースト周波数及びゲイン選択回路、４は第２ブースト周波数及びゲイン選択回路、５は第１加算回路、６はＲＡＭテーブルもしくは折れ線近似でのガンマ補正回路、７は第２加算回路であり、１９は各周波数成分を検出する周波数特性検出回路である。図６の実施の形態２と構成が異なるのは、周波数特性検出回路１９が、ガンマ補正回路６の出力信号を入力信号として、周波数特性を検出し、検出信号により、第１ブースト周波数及びゲイン選択回路３へコントロール信号を出力する構成である。その他は同様な回路であり、その動作、作用の説明は省略する。
【００４９】
以上のように構成された実施の形態３による撮像装置の動作について、図８、図９を用いて以下説明する。
【００５０】
図９は周波数特性検出回路１９の内部構成を示すブロック図で、２０は低周波、中間周波、高周波の各周波数帯域成分を検出する各周波数帯域成分検出回路、２１は各周波数成分のレベルを検出し、入力信号の周波数特性を判定するレベル検出特性判定回路、２２は理想特性との誤差を判定する誤差判定回路である。
【００５１】
図９で各周波数帯域成分検出回路２０は、図７の各周波数帯域成分検出回路１７と同様に例えばローパスフィルタ、ミッドパスフィルタ、ハイパスフィルタ等のフィルタ回路で、入力信号のそれぞれの周波数成分を抽出する。この場合、入力信号としては撮像信号のウインド信号やステップ信号（テスト信号でも可）が一度、第１輪郭信号形成回路１によって補正され、さらにガンマ補正回路６でガンマ補正された信号を入力信号としその各周波数成分を出力する。そしてレベル検出特性判定回路２１は、予め備えられた入力信号の理想特性のレベルとガンマ補正回路６後の信号の各周波数成分のレベルを比較し、どの周波数成分の劣化があるかを判定する。その判定信号で図８の第１ブースト周波数及びゲイン選択回路３のブースト周波数及びゲインを選択する。また、周波数劣化があると判定された周波数のレベル（判定周波数レベル）を誤差判定回路２２へ出力する。誤差判定回路２２では判定周波数レベルと理想特性のレベル基準信号とを比較し、どれだけ誤差があるかの誤差信号を出力する。この誤差信号は、図示されていない、マイクロコンピュータ等で検出される。この誤差信号が、ある程度のレベル以下になるように、第１ブースト周波数及びゲイン選択回路３のゲインを調整するようにフィードバックループをまわすことにより、特にガンマ補正後の信号において、周波数特性を理想の周波数特性に近づけることができる。
【００５２】
このように本実施の形態３によれば、特に周波数特性の劣化が強調されるガンマ補正後の信号の周波数特性をもとに、その特性を理想の周波数特性にかなり高精度で近づけることができる補正を行う為、従来の周波数劣化による画質劣化を防ぐ事ができる。しかもほぼ自動的にその補正動作を行うことができる。
【００５３】
なお、周波数特性の理想データは実施の形態２の場合と同様に図示していない、システムコントロールの為のマイクロコンピュータ等に制御データとして保持させればよい。
【００５４】
（実施の形態４）
図１０は本発明の実施の形態４における撮像装置の構成を示すブロック図である。
【００５５】
図１０において、１は入力信号の輪郭信号を形成する第１輪郭信号形成回路、２も同様に入力信号の輪郭信号を形成する第２輪郭信号形成回路、３は第１ブースト周波数及びゲイン選択回路、４は第２ブースト周波数及びゲイン選択回路、５は第１加算回路、６はＲＡＭテーブルもしくは折れ線近似でのガンマ補正回路、７は第２加算回路であり、１６は各周波数成分を検出する周波数特性検出回路である。図６の実施の形態２と構成が異なるのは、第１ブースト周波数及びゲイン選択回路３が周波数特性検出回路１６以外にレンズのズーム比信号でもコントロールされる構成になっている点である。その他は同様な回路であり、その動作、作用の説明は省略する。
【００５６】
以上のように構成された実施の形態４による撮像装置の動作について、図１０、図１１を用いて以下説明する。
【００５７】
図１１は第１ブースト周波数及びゲイン選択回路３のブースト周波数の選択の仕方を示す概念図である。周波数特性検出回路１６により、特性劣化を補正する為に選択された周波数を中心周波数とし、この場合、レンズのズーム比信号がテレ端を示す信号になればなるほど、第１輪郭信号のブースト周波数を低い周波数に切り換える。逆に、ワイド端を示す信号になればなるほど、高い周波数に切り換える。このようにすることにより、特に周波数劣化が分かりやすい、ステップ状やウインド状の被写体において、レンズのズーム比で被写体の周波数成分が変ることにより、その応答特性の見え方も変り、画質劣化が顕著になることを防ぐことができる。
【００５８】
なお、以上のようなコントロールは、図示していないマイクロコンピュータ等により簡単に行えることは言うまでもない。
【図面の簡単な説明】
【００５９】
【図１】本発明の実施の形態１での撮像装置の構成を示すブロック図
【図２】同実施の形態１における撮像装置の動作説明の為の各部の信号波形図
【図３】同実施の形態１における撮像装置の動作説明の為の各部の信号波形図
【図４】同実施の形態１での第１輪郭信号形成回路１及び第１ブースト周波数及びゲイン選択回路３の内部構成を示すブロック図並びにブースト周波数特性図
【図５】同実施の形態１での第１輪郭信号形成回路１及び第１ブースト周波数及びゲイン選択回路３が一体化した時の内部構成の１例を示すブロック図
【図６】本発明の実施の形態２における撮像装置の構成を示すブロック図
【図７】同実施の形態２における周波数特性検出回路１６の内部構成の１例を示すブロック図
【図８】本発明の実施の形態３での撮像装置の構成を示すブロック図
【図９】同実施の形態３における周波数特性検出回路１９の内部構成の１例を示すブロック図
【図１０】本発明の実施の形態４での撮像装置の構成を示すブロック図
【図１１】同実施の形態４における第１ブースト周波数及びゲイン選択回路３のブースト周波数の選択の仕方を示す概念図
【図１２】従来の撮像装置の構成を示すブロック図
【図１３】従来の撮像装置の輪郭補正の動作を示す信号波形図
【図１４】撮像装置及びモニターでのガンマ補正を示す入出力特性図
【図１５】従来の撮像装置の輪郭補正においての各方式での輪郭信号の付き方を示す信号波形図
【図１６】従来の撮像装置の輪郭補正においての各方式での輪郭信号の付き方を示す信号波形図
【図１７】従来の撮像装置の輪郭補正においての各方式での輪郭信号の付き方を示す信号波形図
【符号の説明】
【００６０】
１  第１輪郭信号形成回路
２  第２輪郭信号形成回路
３  第１ブースト周波数及びゲイン選択回路
４  第２ブースト周波数及びゲイン選択回路
５  第１加算回路
６  ガンマ補正回路
７  第２加算回路
８  ハイパスフィルタ回路
９  選択回路
１０  乗算器
１１  ブースト周波数及びゲイン選択回路一体構成第１輪郭信号形成回路
１２  デジタル処理における遅延素子
１３，１５  乗算器
１４  加算器
１６，１９  周波数特性検出回路
１７，２０  各周波数帯域成分検出回路
１８，２１  レベル検出特性判定回路
２２  誤差判定回路
【図１】
2005033698.tif 000003
【図２】
2005033698.tif 000004
【図３】
2005033698.tif 000005
【図４】
2005033698.tif 000006
【図５】
2005033698.tif 000007
【図６】
2005033698.tif 000008
【図７】
2005033698.tif 000009
【図８】
2005033698.tif 000010
【図９】
2005033698.tif 000011
【図１０】
2005033698.tif 000012
【図１１】
2005033698.tif 000013
【図１２】
2005033698.tif 000014
【図１３】
2005033698.tif 000015
【図１４】
2005033698.tif 000016
【図１５】
2005033698.tif 000017
【図１６】
2005033698.tif 000018
【図１７】
2005033698.tif 000019